(57)【要約】【課題】画像形成装置から外部機器に原稿の画像データを送信した旨を送信先のユーザーに通知する作業を簡略化する。【解決手段】画像形成装置は、通信部と、原稿を読み取る画像読取部と、画像読取部の読み取りによって得られた原稿の画像データに対して文字認識処理を行うことにより、画像データからメールアドレスを検出し、当該検出したメールアドレスを、画像データを添付した電子メールの送信先に設定する制御部と、を備える。制御部は、画像データに対して文字認識処理を行うことにより、画像データから電話番号を検出し、当該検出した電話番号を、電子メールを送信した旨のメッセージの通知先に設定する。【選択図】図３
2019062278.tif 000002
【特許請求の範囲】
【請求項１】
外部機器に通信可能に接続される通信部と、
原稿を読み取る画像読取部と、
前記画像読取部の読み取りによって得られた前記原稿の画像データに対して文字認識処理を行うことにより、前記画像データからメールアドレスを検出し、当該検出した前記メールアドレスを、前記画像データを添付した電子メールの送信先に設定する制御部と、を備え、
前記制御部は、前記画像データに対して前記文字認識処理を行うことにより、前記画像データから電話番号を検出し、当該検出した前記電話番号を、前記電子メールを送信した旨のメッセージの通知先に設定することを特徴とする画像形成装置。
【請求項２】
前記制御部は、前記画像データから検出した前記メールアドレスであり予め登録されたマークが付された前記メールアドレスであるマーク付きメールアドレスを前記送信先に設定し、前記画像データから検出した前記電話番号であり前記マークが付された前記電話番号であるマーク付き電話番号を前記通知先に設定することを特徴とする請求項１に記載の画像形成装置。
【請求項３】
操作パネルを備え、
前記制御部は、前記画像データから、前記マーク付きメールアドレスに加えて、前記マークが付されていない前記メールアドレスであるマーク無しメールアドレスを検出したとき、前記マーク無しメールアドレスに前記電子メールを送信するか否かの受け付けを前記操作パネルに行わせ、前記マーク無しメールアドレスに前記電子メールを送信する旨を前記操作パネルが受け付けた場合、前記マーク無しメールアドレスも前記送信先に設定するとともに、前記マーク無しメールアドレスの宛先種別についてはＣＣまたはＢＣＣに設定することを特徴とする請求項２に記載の画像形成装置。
【請求項４】
前記制御部は、前記画像データから、前記マーク付き電話番号に加えて、前記マークが付されていない前記電話番号であるマーク無し電話番号を検出しても、前記マーク無し電話番号は前記通知先に設定しないことを特徴とする請求項２または３に記載の画像形成装置。
【請求項５】
操作パネルを備え、
前記制御部は、前記画像データから前記メールアドレスおよび前記電話番号を検出できなかったとき、前記メールアドレスおよび前記電話番号を追記した前記原稿の読み取りを再実行するようユーザーに促す報知を前記操作パネルに行わせることを特徴とする請求項１〜４のいずれか１項に記載の画像形成装置。
【請求項６】
前記制御部は、前記メールアドレスおよび前記電話番号が追記された前記原稿の読み取りが前記画像読取部により行われると、当該読み取りによって得られた前記画像データである再読取画像データから、前記メールアドレスおよび前記電話番号を消去し、前記メールアドレスおよび前記電話番号を消去した前記再読取画像データを前記電子メールに添付することを特徴とする請求項５に記載の画像形成装置。
【請求項７】
操作パネルを備え、
前記制御部は、前記電子メールに添付する前記画像データの重要度が第１レベルであるか前記第１レベルよりも低い第２レベルであるかを判定し、前記第１レベルであると判定したとき、前記メッセージの通知を自動的に行う一方、前記第２レベルであると判定したとき、前記メッセージを通知するか否かの受け付けを前記操作パネルに行わせ、前記メッセージを通知する旨を前記操作パネルが受け付けた場合に前記メッセージの通知を行い、前記メッセージを通知しない旨を前記操作パネルが受け付けた場合には前記メッセージを通知しないことを特徴とする請求項１〜６のいずれか１項に記載の画像形成装置。
【請求項８】
前記制御部は、前記電子メールに添付する前記画像データの重要度が第１レベルであるか前記第１レベルよりも低い第２レベルであるかを判定し、前記第１レベルであると判定した場合と前記第２レベルであると判定した場合とで、前記メッセージの内容を異ならせることを特徴とする請求項１〜６のいずれか１項に記載の画像形成装置。
【請求項９】
予め登録されたキーワードを記憶する記憶部を備え、
前記制御部は、前記画像データに前記キーワードが存在するか否かに基づき、前記電子メールに添付する前記画像データの重要度を判定することを特徴とする請求項７または８に記載の画像形成装置。
【請求項１０】
予め登録されたユーザーに対応するユーザー種別を記憶する記憶部を備え、
前記制御部は、前記画像読取部による前記原稿の読み取りに際し画像形成装置にログインしたログインユーザーに対応する前記ユーザー種別を認識し、認識した前記ユーザー種別に基づき、前記電子メールに添付する前記画像データの重要度を判定することを特徴とする請求項７または８に記載の画像形成装置。
【請求項１１】
前記制御部は、前記電子メールに添付する前記画像データの容量を認識し、認識した前記容量に基づき、前記電子メールに添付する前記画像データの重要度を判定することを特徴とする請求項７または８に記載の画像形成装置。
【発明の詳細な説明】
【技術分野】
【０００１】
本発明は、外部機器に通信可能に接続される画像形成装置に関する。
【背景技術】
【０００２】
ファクシミリなどの画像形成装置は、原稿を読み取り、読み取った原稿の画像データをユーザー指定の送信先に送信する。このような画像形成装置は、たとえば、特許文献１に開示されている。
【先行技術文献】
【特許文献】
【０００３】
【特許文献１】特開２０１６−７２９４３号公報
【発明の概要】
【発明が解決しようとする課題】
【０００４】
一般的に、画像形成装置から外部機器に画像データを送信し、当該画像データを外部機器が受信すると、外部機器は画像データを受信した旨の報知を行う。しかし、このとき、送信先のユーザーが外部機器の周辺に居なければ、画像形成装置から外部機器に画像データが送信されたことを送信先のユーザーに気付かせることができない。その結果、画像形成装置から外部機器に送信した画像データが長期間にわたって放置されるという不都合が生じ得る。
【０００５】
このような不都合を解消するには、送信元のユーザーから送信先のユーザーに対し、電話や電子メールを用いて、画像形成装置から外部機器に画像データを送信した旨を通知する必要がある。しかし、送信元のユーザーからすると、通知する作業を別途行うのは煩わしく利便性が悪い。
【０００６】
本発明は、上記課題を解決するためになされたものであり、画像形成装置から外部機器に原稿の画像データを送信した旨を送信先のユーザーに通知する作業を簡略化することが可能な画像形成装置を提供することを目的とする。
【課題を解決するための手段】
【０００７】
上記目的を達成するために、本発明の画像形成装置は、外部機器に通信可能に接続される通信部と、原稿を読み取る画像読取部と、画像読取部の読み取りによって得られた原稿の画像データに対して文字認識処理を行うことにより、画像データからメールアドレスを検出し、当該検出したメールアドレスを、画像データを添付した電子メールの送信先に設定する制御部と、を備える。制御部は、画像データに対して文字認識処理を行うことにより、画像データから電話番号を検出し、当該検出した電話番号を、電子メールを送信した旨のメッセージの通知先に設定する。
【０００８】
本発明の構成では、電子メールに添付する画像データの基となる原稿に電話番号を記載しておくことにより、当該記載した電話番号がメッセージ（原稿の画像データを添付した電子メールを送信した旨のメッセージ）の通知先に設定される。これにより、画像形成装置から外部機器に原稿の画像データを送信した旨を送信先のユーザーに通知する作業が簡略化される（原稿に電話番号を記載するだけでよい）。このため、送信元のユーザーにとっては利便性が良い。
【発明の効果】
【０００９】
本発明の構成では、画像形成装置から外部機器に原稿の画像データを送信した旨を送信先のユーザーに通知する作業を簡略化することができる。
【図面の簡単な説明】
【００１０】
【図１】本発明の一実施形態による複合機の構成を示すブロック図
【図２】本発明の一実施形態による複合機の構成を示す概略図
【図３】本発明の一実施形態による複合機の制御部が行う処理（検出処理、メール送信先設定処理およびメッセージ通知先設定処理）の流れを示すフローチャート
【図４】本発明の一実施形態による複合機の画像読取部が読み取る原稿の一例を示す図
【図５】本発明の一実施形態による複合機の操作パネルが表示する設定画面を示す図
【図６】本発明の一実施形態による複合機の操作パネルが表示する確認画面を示す図
【図７】本発明の一実施形態による複合機の制御部が行う再読取処理の流れを示すフローチャート
【発明を実施するための形態】
【００１１】
＜複合機の構成＞
図１および図２に示すように、本実施形態の複合機１００（「画像形成装置」に相当）は、制御部１を備える。制御部１は、ＣＰＵ１１、メモリー１２および画像処理回路１３を含む。ＣＰＵ１１は、制御用のプログラムおよびデータに基づき動作し、複合機１００の各部を制御するための処理を行う。メモリー１２は、不揮発性メモリー（ＲＯＭ）と揮発性メモリー（ＲＡＭ）とを含む。ＣＰＵ１１を動作させるためのプログラムおよびデータは、ＲＯＭに記憶され、ＲＡＭに展開される。画像処理回路１３は、画像データに対して種々の画像処理を行うための専用回路やメモリーを含む。制御部１は、画像処理回路１３を用いて、画像データに対して画像処理（後述する消去処理など）を行う。
【００１２】
また、複合機１００は、画像読取部２を備える。画像読取部２は、制御部１に接続される。制御部１は、画像読取部２の読取動作を制御する。
【００１３】
画像読取部２は、原稿Ｄを読み取る。画像読取部２は、ランプ２１およびイメージセンサー２２など原稿Ｄを光学的に読み取るための光学系部材を含む。光学系部材は、画像読取部２の筐体の内部に収容される。画像読取部２の筐体の上面には、コンタクトガラスＣＧが設置される。そして、画像読取部２は、コンタクトガラスＣＧ上にセットされた原稿Ｄを読み取る。
【００１４】
ここで、制御部１は、画像読取部２による原稿Ｄの読み取りによって得られた原稿Ｄの画像データに存在するテキスト（原稿Ｄに記載されたテキスト）を認識する文字認識処理を行う。制御部１による文字認識処理では、たとえば、ＯＣＲ（Ｏｐｔｉｃａｌ  Ｃｈａｒａｃｔｅｒ  Ｒｅｃｏｇｎｉｔｉｏｎ）技術が用いられる。
【００１５】
また、複合機１００は、印刷部３を備える。印刷部３は、制御部１に接続される。制御部１は、印刷部３の印刷動作を制御する。
【００１６】
印刷部３は、トナー像を形成し、当該形成したトナー像を用紙に転写（印刷）する。たとえば、印刷部３は、画像読取部２による原稿Ｄの読み取りによって得られた原稿Ｄの画像データに基づき、用紙に転写するトナー像を形成する。
【００１７】
また、複合機１００は、操作パネル４を備える。操作パネル４は、制御部１に接続される。制御部１は、操作パネル４の表示動作を制御するとともに、操作パネル４に対して行われた操作を検知する。
【００１８】
操作パネル４は、タッチスクリーン４１およびハードウェアボタン４２を含む。タッチスクリーン４１は、ソフトウェアボタンを配した画面を表示し、ユーザーからタッチ操作を受け付ける。ハードウェアボタン４２は、操作パネル４に複数設けられる。たとえば、ハードウェアボタンとしては、ジョブの実行を指示するスタート操作をユーザーから受け付けるためのスタートボタンなどがある。
【００１９】
また、複合機１００は、通信部５を備える。通信部５は、制御部１に接続される。制御部１は、通信部５を用いて、複合機１００に通信可能に接続された外部機器２００と通信する。
【００２０】
通信部５は、複合機１００をインターネットなどのネットワークＮＴに接続するための通信インターフェースであり、通信用の回路やメモリー、ネットワークケーブルを接続するためのコネクターなどを含む。そして、複合機１００（通信部５）は、ネットワークＮＴを介して、外部機器２００と通信可能に接続される。たとえば、デスクトップ型やノート型のパーソナルコンピューター、サーバー、タブレットコンピューター、スマートフォン、および、携帯電話など、種々の外部機器２００を複合機１００に通信可能に接続することができる。
【００２１】
ここで、複合機１００には、メール機能が搭載される。これにより、メール機能を搭載した外部機器２００（メーラーがインストールされた外部機器２００）に対し、複合機２００から電子メールを送信することができる。また、外部機器２００から複合機１００への電子メールの送信も可能である。すなわち、複合機１００はメールジョブの実行が可能に構成される。複合機１００により実行されるメールジョブについては、後に詳細に説明する。
【００２２】
さらに、複合機１００には、ショートメッセージサービス（ＳＭＳ）を利用するためのＳＭＳ機能が搭載される。これにより、ＳＭＳ機能を搭載した外部機器２００（スマートフォンや携帯電話など）に対し、複合機１００からショートメッセージを通知することができる。
【００２３】
また、複合機１００は、記憶部６を備える。記憶部６は、制御部１に接続される。制御部１は、記憶部６からのデータの読み出しや記憶部６へのデータの書き込みを行う。特に限定されないが、記憶部６は、ＲＯＭ（ＥＥＰＲＯＭなど）やＨＤＤなどの不揮発性の記憶デバイスを含む。
【００２４】
＜メールジョブ＞
制御部１は、メールジョブの実行に際し、メール画面（図示せず）の表示指示を操作パネル４に与える。当該表示指示を受けた操作パネル４は、メール画面を表示し、メール本文の入力をユーザーから受け付ける。
【００２５】
複合機１００により実行されるメールジョブでは、複合機１００で読み取った原稿Ｄの画像データを電子メールに添付することができる。電子メールへの画像データの添付指示の受け付けは操作パネル４が行う。たとえば、操作パネル４は、メール画面に添付ボタンを配する。そして、操作パネル４は、添付ボタンに対するタッチ操作を添付指示として受け付ける。
【００２６】
制御部１は、操作パネル４が添付指示を受け付けたことを検知すると、「複合機に原稿をセットしてスタートボタンを押してください」といった内容のメッセージを操作パネル４に表示させる。これにより、ユーザーにより、コンタクトガラスＣＧ上に原稿Ｄがセットされ、操作パネル４のスタートボタンが押下される。
【００２７】
制御部１は、スタートボタンに対して押下操作が行われたことを検知すると、画像読取部２に原稿Ｄの読み取りを行わせる。その後、制御部１は、画像読取部２による原稿Ｄの読み取りによって得られた原稿Ｄの画像データを電子メールに添付する。言い換えると、制御部１は、原稿Ｄの画像データを含む電子メールを生成する。
【００２８】
なお、制御部１は、電子メールに添付する画像データのフォーマット（たとえば、ｐｄｆやｊｐｇなど）の指定受付を操作パネル４に行わせる。そして、制御部１は、原稿Ｄの画像データをユーザー指定のフォーマットに変換し、当該変換した画像データを電子メールに添付する。
【００２９】
また、制御部１は、メールジョブの実行に際し、ユーザー指定のメールアドレスをメール送信先に設定するメール送信先設定処理を行う。そして、制御部１は、原稿Ｄの画像データを添付した電子メールを生成すると、メール送信先設定処理で設定したメール送信先に対し、通信部５を介して、原稿Ｄの画像データを添付した電子メールを送信する。
【００３０】
通常モードでは、メールジョブの実行に際し、ユーザー指定のメールアドレスの入力受付が操作パネル４により行われる。操作パネル４は、たとえば、ソフトウェアキーボードを表示し、メールアドレスの入力受付を行う。なお、複合機１００に予め登録されたアドレス帳から、ユーザー指定のメールアドレスを選択することもできる。そして、制御部１は、ユーザーがソフトウェアキーボードを操作して入力したメールアドレスあるいはユーザーがアドレス帳から選択したメールアドレスをメール送信先に設定する。
【００３１】
また、制御部１は、メールジョブの実行に際し、メッセージ通知機能を有効にするか無効にするかの設定受付を操作パネル４に行わせる。制御部１は、メッセージ通知機能を有効にする旨を操作パネル４が受け付けると、メッセージ通知機能を有効に設定する。
【００３２】
制御部１は、メッセージ通知機能を有効に設定した場合、ユーザー指定の電話番号をメッセージ通知先に設定するメッセージ通知先設定処理を行う。そして、制御部１は、電子メールを送信して以降、メッセージ通知先設定処理で設定したメッセージ通知先に対し、通信部５を介して、電子メールを送信した旨のメッセージを通知する。このとき、ＳＭＳ機能が使用される。
【００３３】
通常モードでは、メールジョブの実行に際し、ユーザー指定の電話番号の入力受付が操作パネル４により行われる。操作パネル４は、たとえば、ソフトウェアキーボードを表示し、電話番号の入力受付を行う。なお、複合機１００に予め登録されたアドレス帳から、ユーザー指定の電話番号を選択することもできる。そして、制御部１は、ユーザーがソフトウェアキーボードを操作して入力した電話番号あるいはユーザーがアドレス帳から選択した電話番号をメッセージ通知先に設定する。
【００３４】
＜特殊モード＞
ユーザーからすると、ソフトウェアキーボードを操作してメールアドレスや電話番号を入力したり、アドレス帳からメールアドレスや電話番号を選択したりするのは、煩わしく利便性が悪い。そこで、特殊モードが準備される。
【００３５】
特殊モードを有効にするか無効にするかの設定は操作パネル４がユーザーから受け付ける。特殊モードを有効にする旨を操作パネル４が受け付けると、制御部１は、特殊モードを有効に設定する。
【００３６】
制御部１は、特殊モードを有効に設定した場合、画像読取部２が原稿Ｄを読み取ると、原稿Ｄの画像データからメールアドレスおよび電話番号を検出する処理（以下、検出処理と称する）を行う。そして、制御部１は、検出処理で検出したいずれかのメールアドレスをメール送信先に設定する処理をメール送信先設定処理として行う。また、制御部１は、検出処理で検出したいずれかの電話番号をメッセージ通知先に設定する処理をメッセージ通知先設定処理として行う。
【００３７】
以下に、図３に示すフローチャートを参照し、制御部１が行う処理（検出処理、メール送信先設定処理およびメッセージ通知先設定処理）の流れを説明する。図３に示すフローチャートのスタート時点では、特殊モードが有効に設定されているとする。そして、電子メールへの画像データの添付指示を操作パネル４が受け付け、その後、操作パネル４のスタートボタンが操作されたことを制御部１が検知したとき、図３に示すフローチャートがスタートする。
【００３８】
ステップＳ１において、制御部１は、原稿Ｄの読み取りを画像読取部２に行わせる。なお、原稿Ｄの読取枚数は特に限定されず、１枚でもよいし、複数枚でもよい。
【００３９】
ステップＳ２において、制御部１は、画像読取部２による原稿Ｄの読み取りによって得られた原稿Ｄの画像データから、メールアドレスおよび電話番号を検出する検出処理を行う。このとき、制御部１は、原稿Ｄの画像データに対して文字認識処理を行うことによって原稿Ｄの画像データからテキストデータを抽出し、メールアドレスおよび電話番号を検出する。なお、画像読取部２が複数枚の原稿Ｄを読み取った場合、制御部１は、複数枚の原稿Ｄの各画像データを検出処理（文字認識処理）の処理対象とする。
【００４０】
一例として、図４に示すような原稿Ｄの読み取りを画像読取部２が行った場合には、符号Ａ１を付した文字列（便宜上、図４では「ａａａ＠ａａａ．ａａ．ａａ」で示す）、符号Ａ２を付した文字列（便宜上、図４では「ｂｂｂ＠ｂｂｂ．ｂｂ．ｂｂ」で示す）および符号Ａ３を付した文字列（便宜上、図４では「ｃｃｃ＠ｃｃｃ．ｃｃ．ｃｃ」で示す）がそれぞれメールアドレスとして制御部１により検出される。たとえば、制御部１は、所定記号（たとえば、「＠」）を含む文字列をメールアドレスとして検出する。あるいは、制御部１は、記憶部６に予め記憶されたアドレス検出用の識別子（ドメイン名）を含む文字列をメールアドレスとして検出する。
【００４１】
また、図４に示した原稿Ｄの読み取りを画像読取部２が行った場合には、符号Ｎ１を付した数字列（便宜上、図４では「１１１１１１１１１１」で示す）および符号Ｎ２を付した数字列（便宜上、図４では「２２２２２２２２２２」で示す）がそれぞれ電話番号として制御部１により検出される。たとえば、制御部１は、所定数以上の数字（数を表す文字）が連続して並ぶ数字列（数を表す文字の列）を電話番号として検出する。
【００４２】
図３に戻り、ステップＳ３において、制御部１は、メールアドレスおよび電話番号が画像データに存在するか否か（原稿Ｄにメールアドレスおよび電話番号が記載されているか否か）を判断する。言い換えると、制御部１は、原稿Ｄの画像データからメールアドレスおよび電話番号を検出できたか否かを判断する。その結果、メールアドレスおよび電話番号が原稿Ｄの画像データに存在すると制御部１が判断した場合には、ステップＳ４に移行する。
【００４３】
ステップＳ４において、制御部１は、予め登録された所定のマークが付されたメールアドレスであるマーク付きメールアドレスおよび所定のマークが付された電話番号であるマーク付き電話番号が原稿Ｄの画像データに存在するか否か（原稿Ｄに記載のメールアドレスおよび電話番号にマークが付されているか否か）を判断する。言い換えると、制御部１は、原稿Ｄの画像データからマーク付きメールアドレスおよびマーク付き電話番号を検出できたか否かを判断する。
【００４４】
なお、マークの形態（色や形状など）を示すマーク情報はユーザーにより予め登録され記憶部６に記憶される。制御部１は、マーク情報に基づき、マーク付きメールアドレスおよびマーク付き電話番号が原稿Ｄの画像データに存在するか否かを判断する。
【００４５】
たとえば、図４に示すような楕円枠ＥＦをマークとして登録することができる。図４に示す例では、メールアドレスＡ１にマークが付され、電話番号Ｎ１にマークが付されていると制御部１が判断する。すなわち、制御部１は、楕円枠ＥＦで囲まれたメールアドレスＡ１および電話番号Ｎ１をそれぞれマーク付きメールアドレスおよびマーク付き電話番号として検出する。
【００４６】
なお、マークの形態は特に限定されず、任意に変更可能である。当該変更は操作パネル４がユーザーから受け付ける。たとえば、楕円形状とは異なる形状の枠がマークとして登録されてもよい。
【００４７】
また、直線や二重線、波線、点線などの線がマークとして登録されてもよい。線がマークとして登録された場合には、図示しないが、たとえば、下線が付されたメールアドレスおよび下線が付された電話番号がそれぞれマーク付きメールアドレスおよびマーク付き電話番号として検出される。
【００４８】
図３に戻り、ステップＳ４において、マーク付きメールアドレスおよびマーク付き電話番号が原稿Ｄの画像データに存在すると制御部１が判断した場合には、ステップＳ５に移行する。ステップＳ５に移行すると、制御部１は、マーク付きメールアドレスをメール送信先に設定し、マーク付き電話番号をメッセージ通知先に設定する。このとき、制御部１は、マーク付きメールアドレスの宛先種別をＴＯに設定する。その後、ステップＳ６に移行する。
【００４９】
ステップＳ６において、制御部１は、マークが付されていないメールアドレスであるマーク無しメールアドレスが原稿Ｄの画像データに存在するか否かを判断する。言い換えると、制御部１は、原稿Ｄの画像データから、マーク付きメールアドレスに加えて、マーク無しメールアドレスも検出したか否かを判断する。その結果、マーク無しメールアドレスが原稿Ｄの画像データに存在すると制御部１が判断した場合には、ステップＳ７に移行する。
【００５０】
ステップＳ７に移行すると、制御部１は、図５に示すような設定画面４１０の表示指示を操作パネル４に与える。当該表示指示を受けた操作パネル４は、設定画面４１０を表示する。そして、操作パネル４は、マーク無しメールアドレスに電子メールを送信するか否かをユーザーから受け付ける。その後、ステップＳ８に移行する。
【００５１】
設定画面４１０には、図５に示すように、「ＯＫ」ボタンＢ１１および「Ｃａｎｃｅｌ」ボタンＢ１２が配される。また、設定画面４１０には、アドレス表示欄４１１が配される。アドレス表示欄４１１には、「ＣＣ」ボタンおよび「ＢＣＣ」ボタンを含む選択ボタン４１２が配される。また、アドレス表示欄４１１には、制御部１が原稿Ｄの画像データから検出したマーク無しメールアドレスが表示される。
【００５２】
たとえば、図４に示した原稿Ｄの読み取りを画像読取部２が行った場合には、メールアドレスＡ２およびＡ３がそれぞれマーク無しメールアドレスとして制御部１により検出される。この場合、図５に示すように、メールアドレスＡ２を表示したアドレス表示欄４１１およびメールアドレスＡ３を表示したアドレス表示欄４１１が設定画面４１０に配される。
【００５３】
制御部１は、選択ボタン４１２に対するタッチ操作が行われたことを検知すると、当該タッチ操作を受けた選択ボタン４１２に対応するアドレス表示欄４１１のマーク無しメールアドレスが選択されたと判断する。その後、「ＯＫ」ボタンＢ１１に対するタッチ操作が行われたことを検知すると、制御部１は、選択されたマーク無しメールアドレスをメール送信先に設定する。すなわち、設定画面４１０では、マーク付きメールアドレスに加えて、マーク無しメールアドレスもメール送信先に設定することができる。
【００５４】
たとえば、図５に示した例において、メールアドレスＡ２のアドレス表示欄４１１に対応する「ＣＣ」ボタンへのタッチ操作が行われたとする（タッチ操作が行われた「ＣＣ」ボタンの表示色は反転する）。そして、その後、「ＯＫ」ボタンＢ１１へのタッチ操作が行われたとする。この場合、制御部１は、メールアドレスＡ２をメール送信先に追加設定する（メールアドレスＡ２が選択されたと制御部１が判断する）。ただし、制御部１は、メールアドレスＡ２の宛先種別についてはＣＣに設定する。この例では、メールアドレスＡ３は選択されていないので、メールアドレスＡ３はメール送信先に設定されない。
【００５５】
図示しないが、図５に示した例において、「ＯＫ」ボタンＢ１１へのタッチ操作が行われる前に、メールアドレスＡ２のアドレス表示欄４１１に対応する「ＣＣ」ボタンに加えて、メールアドレスＡ３のアドレス表示欄４１１に対応する「ＣＣ」ボタンへのタッチ操作も行われたとする。この場合には、メールアドレスＡ２およびＡ３がそれぞれメール送信先に追加設定される（メールアドレスＡ２およびＡ３が選択されたと制御部１が判断する）。そして、メールアドレスＡ２およびＡ３の各宛先種別はＣＣに設定される。
【００５６】
また、図示しないが、図５に示した例において、「ＯＫ」ボタンＢ１１へのタッチ操作が行われる前に、メールアドレスＡ２のアドレス表示欄４１１に対応する「ＣＣ」ボタンに加えて、メールアドレスＡ３のアドレス表示欄４１１に対応する「ＢＣＣ」ボタンへのタッチ操作も行われたとする（タッチ操作が行われた「ＢＣＣ」ボタンの表示色は反転する）。この場合には、メールアドレスＡ２およびＡ３がそれぞれメール送信先に追加設定される（メールアドレスＡ２およびＡ３が選択されたと制御部１が判断する）。そして、メールアドレスＡ２の宛先種別はＣＣに設定されるが、メールアドレスＡ３の宛先種別はＢＣＣに設定される。
【００５７】
なお、設定画面４１０の「Ｃａｎｃｅｌ」ボタンＢ１２へのタッチ操作が行われた場合には、マーク無しメールアドレスはメール送信先に設定されない。
【００５８】
図３に戻り、ステップＳ８に移行すると、制御部１は、マーク無しメールアドレスに電子メールを送信する旨を操作パネル４が受け付けたか否かを判断する。その結果、マーク無しメールアドレスに電子メールを送信する旨を操作パネル４が受け付けた（設定画面４１０の「ＯＫ」ボタンＢ１１に対するタッチ操作が行われた）と制御部１が判断した場合には、ステップＳ９に移行する。
【００５９】
ステップＳ９に移行すると、制御部１は、マーク無しメールアドレスをメール送信先に追加設定する。このとき、制御部１は、設定画面４１０（図５参照）に表示されたメールアドレスのうち、選択されたと判断したメールアドレスについてはメール送信先に追加設定するが、他のメールアドレスについてはメール送信先に設定しない。この後、ステップＳ１０に移行する。
【００６０】
ステップＳ８において、マーク無しメールアドレスに電子メールを送信しない旨を操作パネル４が受け付けた（設定画面４１０の「Ｃａｎｃｅｌ」ボタンＢ１２に対するタッチ操作が行われた）と制御部１が判断した場合には、ステップＳ９の処理が省略され、ステップＳ１０に移行する。また、ステップＳ６において、マーク無しメールアドレスが原稿Ｄの画像データに存在しないと制御部１が判断した場合には、ステップＳ７およびＳ８の各処理が省略され、ステップＳ１０に移行する。
【００６１】
ステップＳ１０に移行すると、制御部１は、図６に示すような確認画面４２０を操作パネル４に表示させる。確認画面４２０には、制御部１がメール送信先に設定し宛先種別をＴＯに設定したメールアドレスが表示される。また、確認画面４２０には、制御部１がメッセージ通知先に設定した電話番号が表示される。なお、制御部１がメール送信先に設定したメールアドレスであって宛先種別をＣＣまたはＢＣＣに設定したメールアドレスが存在する場合には、当該メールアドレスも確認画面４２０に表示される。図６には、一例として、メールアドレスＡ１およびＡ２がメール送信先に設定され、メールアドレスＡ１およびＡ２の各宛先種別がそれぞれＴＯおよびＣＣに設定され、電話番号Ｎ１がメッセージ通知先に設定された場合の確認画面４２０を図示する。
【００６２】
また、設定画面４２０には、「ＯＫ」ボタンＢ２１および「Ｃａｎｃｅｌ」ボタンＢ２２が配される。制御部１は、「ＯＫ」ボタンＢ２１に対する操作を検知すると、確認画面４２０に現在表示されているメールアドレスをメール送信先として確定するとともに、確認画面４２０に現在表示されている電話番号をメッセージ通知先として確定する。なお、制御部１は、「Ｃａｎｃｅｌ」ボタンＢ２２に対する操作を検知すると、メール送信先およびメッセージ通知先の各設定内容をキャンセルする。
【００６３】
図３に戻り、確認画面４２０の表示後、ステップＳ１１に移行する。ステップＳ１１に移行すると、制御部１は、確認画面４２０においてメール送信先およびメッセージ通知先を確定する確定操作（「ＯＫ」ボタンＢ２１に対する操作）が行われたか否か判断する。その結果、確定操作が行われたと制御部１が判断した場合には、ステップＳ１２に移行する。
【００６４】
ステップＳ１２に移行すると、制御部１は、確認画面４２０に現在表示されているメールアドレスをメール送信先として確定する。また、制御部１は、確認画面４２０に現在表示されている電話番号をメッセージ通知先として確定する。それ以降、電子メールの送信指示の受け付けが操作パネル４により行われる。
【００６５】
電子メールの送信指示を操作パネル４がユーザーから受け付けると、ステップＳ１３において、制御部１は、確定したメール送信先に対し、通信部５を介して、原稿Ｄの画像データを添付した電子メールを送信する。さらに、制御部１は、確定したメッセージ通知先に対し、通信部５を介して、電子メールを送信した旨のメッセージを通知する。
【００６６】
ここで、図４に示した原稿Ｄを画像読取部２が読み取った場合には、電話番号Ｎ１に加えて、電話番号Ｎ２も制御部１により検出される。電話番号Ｎ１にはマーク（楕円枠ＥＦ）が付されている一方で、電話番号Ｎ２にはマークが付されていない。この場合、制御部１は、電話番号Ｎ１にメッセージを通知する。しかし、制御部１は、電話番号Ｎ２にはメッセージを通知しない。すなわち、制御部１は、原稿Ｄの画像データから、マーク付き電話番号に加えて、マーク無し電話番号を検出しても、マーク無し電話番号はメッセージ通知先に設定しない。
【００６７】
ステップＳ１１において、確定操作が行われていない（「Ｃａｎｃｅｌ」ボタンＢ２２に対する操作が行われた）と制御部１１が判断した場合には、本フローは終了する。この場合には、電子メールの送信は行われず、メッセージの通知も行われない。
【００６８】
ステップＳ４において、マーク付きメールアドレスおよびマーク付き電話番号が原稿Ｄの画像データに存在しないと制御部１が判断した場合には、ステップＳ１４に移行する。
【００６９】
ステップＳ１４に移行すると、制御部１は、選択画面（図示せず）の表示指示を操作パネル４に与える。当該表示指示を受けた操作パネル４は、選択画面を表示し、メール送信先に設定するメールアドレスおよびメッセージ通知先に設定する電話番号の選択受付（選択操作の受け付け）の受け付けを行う。
【００７０】
図示しないが、選択画面には、制御部１が検出処理で検出した全てのメールアドレスが選択肢として表示される。また、選択画面には、制御部１が検出処理で検出した全ての電話番号が選択肢として表示される。すなわち、制御部１が検出したメールアドレス（ユーザーが原稿Ｄに記載したメールアドレス）からメール送信先を選択することができ、制御部１が検出した電話番号（ユーザーが原稿Ｄに記載した電話番号）からメッセージ通知先を選択することができる。なお、メールアドレスの選択後、選択したメールアドレスの宛先種別の設定受付が操作パネル４により行われる。
【００７１】
選択画面に対して選択操作が行われた後、ステップＳ１５に移行する。ステップＳ１５に移行すると、制御部１は、選択操作で選択された選択メールアドレスをメール送信作に設定する。また、制御部１は、選択操作で選択された選択電話番号をメッセージ通知先に設定する。その後、ステップＳ１０に移行する。
【００７２】
ステップＳ３において、メールアドレスおよび電話番号が原稿Ｄの画像データに存在しないと制御部１が判断した場合には、ステップＳ１６に移行する。ステップＳ１６に移行すると、制御部１は、再読取処理を行う。
【００７３】
以下に、図７に示すフローチャートを参照し、制御部１により行われる再読取処理の流れを説明する。図７に示すフローチャートは、図３に示したフローチャートのステップＳ３において、メールアドレスおよび電話番号が原稿Ｄの画像データに存在しないと制御部１が判断したときにスタートする。
【００７４】
ステップＳ２１において、制御部１は、メールアドレスおよび電話番号を追記した原稿Ｄの読み取りを再実行するよう促す報知メッセージを操作パネル４に表示させる。このような報知を行うことによって、ユーザーにより、原稿Ｄにメールアドレスおよび電話番号が追記される（たとえば、メールアドレスおよび電話番号は手書きされる）。そして、ユーザーにより、メールアドレスおよび電話番号が追記された原稿Ｄである追記済み原稿ＤがコンタクトガラスＣＧ上に再セットされ、操作パネル４のスタートボタンが再度押下される。
【００７５】
スタートボタンが再度押下されると、ステップＳ２２において、制御部１は、画像読取部２に原稿Ｄ（追記済み原稿Ｄ）の読み取りを再度行わせる。その後、ステップＳ２３において、制御部１は、画像読取部２が再度行った読み取りにより得られた原稿Ｄの画像データ（ここでは、再読取画像データと称する）を対象にして、メールアドレスおよび電話番号を検出する検出処理を行う。
【００７６】
検出処理後、ステップＳ２４において、制御部１は、メールアドレスおよび電話番号が再読取画像データに存在するか否かを判断する。その結果、メールアドレスおよび電話番号が再読取画像データに存在すると制御部１が判断した場合には、ステップＳ２５に移行し、メールアドレスおよび電話番号が再読取画像データに存在しないと制御部１が判断した場合には、ステップＳ２１に移行する。
【００７７】
ステップＳ２５に移行すると、制御部１は、検出処理で検出したメールアドレス（ユーザーが追記したメールアドレス）をメール送信先に設定するとともに、当該メールアドレスの宛先種別をＴＯに設定する。また、制御部１は、検出処理で検出した電話番号（ユーザーが追記した電話番号）をメッセージ通知先に設定する。なお、複数のメールアドレスを制御部１が検出した場合（ユーザーが複数のメールアドレスを追記した場合）には、当該複数のメールアドレスからユーザー所望のメールアドレス（メール送信先に設定するメールアドレス）の選択受付や、メールアドレスの宛先種別の設定受付が操作パネル４により行われてもよい。
【００７８】
その後、ステップＳ２６において、制御部１は、図６に示した確認画面４２０と同様の確認画面４２０を操作パネル４に表示させる。この場合の確認画面４２０には、ユーザーにより追記されたメールアドレスが表示されるとともに、ユーザーにより追記された電話番号が表示される。そして、ステップＳ２７において、制御部１は、確認画面４２０において確定操作が行われたか否か判断する。その結果、確定操作が行われたと制御部１が判断した場合には、ステップＳ２８に移行し、確定操作が行われていないと制御部１１が判断した場合には、本フローは終了する。
【００７９】
ステップＳ２８に移行すると、制御部１は、確認画面４２０に現在表示されているメールアドレスをメール送信先として確定する。また、制御部１は、確認画面４２０に現在表示されている電話番号をメッセージ通知先として確定する。
【００８０】
それ以降、電子メールの送信指示を操作パネル４がユーザーから受け付けると、ステップＳ２９において、制御部１は、確定したメール送信先に対し、通信部５を介して、再読取画像データを添付した電子メールを送信する。さらに、制御部１は、確定したメッセージ通知先に対し、通信部５を介して、電子メールを送信した旨のメッセージを通知する。
【００８１】
ここで、制御部１は、電子メールの送信に際し、再読取画像データから、検出処理で検出したメールアドレス（ユーザーが追記したメールアドレス）および電話番号（ユーザーが追記した電話番号）を消去する消去処理を行う。このため、電子メールに添付される再読取画像データからは、ユーザーにより追記（手書き）されたメールアドレスおよび電話番号が消去される。
【００８２】
本実施形態の複合機１００（画像形成装置）は、上記のように、外部機器２００に通信可能に接続される通信部５と、原稿Ｄを読み取る画像読取部２と、画像読取部２の読み取りによって得られた原稿Ｄの画像データに対して文字認識処理を行うことにより、原稿Ｄの画像データからメールアドレスを検出し、当該検出したメールアドレスを、原稿Ｄの画像データを添付した電子メールのメール送信先に設定する制御部１と、を備える。制御部１は、原稿Ｄの画像データに対して文字認識処理を行うことにより、原稿Ｄの画像データから電話番号を検出し、当該検出した電話番号を、電子メールを送信した旨のメッセージの通知先に設定する。
【００８３】
本実施形態の構成では、電子メールに添付する画像データの基となる原稿Ｄに電話番号を記載しておくことにより、当該記載した電話番号がメッセージ（原稿Ｄの画像データを添付した電子メールを送信した旨のメッセージ）の通知先に設定される。これにより、複合機１００から外部機器２００に原稿Ｄの画像データを送信した旨を送信先のユーザーに通知する作業が簡略化される（原稿Ｄに電話番号を記載するだけでよい）。このため、送信元のユーザーにとっては利便性が良い。
【００８４】
また、本実施形態では、上記のように、制御部１は、原稿Ｄの画像データから検出したメールアドレスであり予め登録されたマーク（所定のマーク）が付されたメールアドレスであるマーク付きメールアドレスをメール送信先に設定し、原稿Ｄの画像データから検出した電話番号であり所定のマークが付された電話番号であるマーク付き電話番号をメッセージ通知先に設定する。これにより、所望のメールアドレス（メール送信先に設定したいメールアドレス）に所定のマークを付しておけば、確実に、所望のメールアドレスがメール送信先に設定される。また、所望の電話番号（メッセージ通知先に設定したい電話番号）に所定のマークを付しておけば、確実に、所望の電話番号がメッセージ通知先に設定される。したがって、意図しないメールアドレスがメール送信先に設定されたり、意図しない電話番号がメッセージ通知先に設定されたりするのを抑制することができる。
【００８５】
また、本実施形態では、上記のように、制御部１は、原稿Ｄの画像データから、マーク付きメールアドレスに加えて、マークが付されていないメールアドレスであるマーク無しメールアドレスを検出したとき、マーク無しメールアドレスに電子メールを送信するか否かの受け付けを操作パネル４に行わせ、マーク無しメールアドレスに電子メールを送信する旨を操作パネル４が受け付けた場合、マーク無しメールアドレスもメール送信先に設定するとともに、マーク無しメールアドレスの宛先種別についてはＣＣまたはＢＣＣに設定する。これにより、原稿Ｄに記載した複数のメールアドレスのうち、所望のメールアドレス（ＣＣやＢＣＣに設定したいメールアドレス）にマークを付さなければ、簡単に、所望のメールアドレスをＣＣやＢＣＣに設定することができる。なお、原稿Ｄに記載した複数のメールアドレスのうち、マークを付したメールアドレスはＴＯに設定される。
【００８６】
また、本実施形態では、上記のように、制御部１は、原稿Ｄの画像データから、マーク付き電話番号に加えて、マークが付されていない電話番号であるマーク無し電話番号を検出しても、マーク無し電話番号はメッセージ通知先に設定しない。これにより、意図しない電話番号にメッセージが通知されるのを抑制することができる。
【００８７】
また、本実施形態では、上記のように、制御部１は、原稿Ｄの画像データからメールアドレスおよび電話番号を検出できなかったとき、メールアドレスおよび電話番号を追記した原稿Ｄの読み取りを再実行するようユーザーに促す報知を操作パネル４に行わせる。これにより、原稿Ｄにメールアドレスおよび電話番号が記載されていないことをユーザーに認識させることができる。
【００８８】
また、本実施形態では、上記のように、制御部１は、メールアドレスおよび電話番号が追記された原稿Ｄの読み取りが画像読取部２により行われると、当該読み取りによって得られた再読取画像データから、メールアドレスおよび電話番号を消去する（消去処理を行う）。そして、制御部１は、メールアドレスおよび電話番号を消去した再読取画像データを電子メールに添付する。ここで、原稿Ｄへの追記は手書きでなされる場合が多いが、ユーザーによっては、手書き文字を消したい場合がある。このため、制御部１による消去処理が行われるのが好ましい。
【００８９】
＜画像データの重要度＞
（（通知処理））
制御部１は、メッセージ通知先にメッセージを通知する通知処理として、第１通知処理および第２通知処理のいずれかを行う。第１および第２通知処理のうち制御部１が行う通知処理はユーザーにより選択される。当該選択の受け付けは操作パネル４が行う。
【００９０】
ここで、制御部１は、電子メールに添付する画像データの重要度が高レベル（「第１レベル」に相当）であるか低レベル（「第２レベル」に相当）であるかを判定する重要度判定処理を行う。そして、制御部１は、重要度判判定処理の結果に基づき通知処理を行う。制御部１による重要度判定処理については後に詳細に説明する。
【００９１】
（第１通知処理）
第１通知処理が選択された場合、制御部１は、重要度判定処理を行い、電子メールに添付する画像データの重要度を判定する。そして、原稿Ｄの画像データの重要度が高レベルであった場合、制御部１は、メール送信先に電子メールを送信すると、メッセージ通知先へのメッセージの通知を自動的（強制的）に行う。
【００９２】
重要度判定処理の結果、原稿Ｄの画像データの重要度が低レベルであった場合、制御部１は、メッセージ通知先にメッセージを通知するか否かの受け付けを操作パネル４に行わせる。そして、メッセージ通知先にメッセージを通知する旨を操作パネル４がユーザーから受け付けた場合に、制御部１は、メッセージ通知先にメッセージを通知する。一方で、メッセージ通知先にメッセージを通知しない旨を操作パネル４がユーザーから受け付けた場合、制御部１は、原稿Ｄの画像データから電話番号を検出したとしても、メッセージの通知を行わない。
【００９３】
この構成では、電子メールに添付する画像データの重要度が低い場合、メッセージを通知するか否かをユーザーが選択することができるので、ユーザーの利便性が向上する。
【００９４】
（第２通知処理）
第２通知処理が選択された場合、制御部１は、第１通知処理が選択された場合と同様、重要度判定処理を行い、電子メールに添付する画像データの重要度を判定する。そして、原稿Ｄの画像データの重要度が高レベルであった場合と低レベルであった場合とで、メッセージ通知先に通知するメッセージの内容を異ならせる。
【００９５】
たとえば、原稿Ｄの画像データの重要度が高レベルであった場合、制御部１は、「重要」や「緊急」など、電子メールに添付した画像データの重要度が高いことを示す所定文言をメッセージ通知先に通知するメッセージに含める。一方で、原稿Ｄの画像データの重要度が低レベルであった場合には、所定文言はメッセージに含められない。
【００９６】
この構成では、自動的に、電子メールに添付する画像データの重要度が高い場合と低い場合とでメッセージの内容が変化するので、ユーザーの利便性が向上する（メッセージの内容をユーザーが指定しなくてもよい）。
【００９７】
（（重要度判定処理））
制御部１は、第１判定処理、第２判定処理および第３判定処理のいずれかを重要度判定処理として行う。第１〜第３判定処理のうち制御部１が行う処理はユーザーにより選択される。当該選択の受け付けは操作パネル４が行う。
【００９８】
（第１判定処理）
記憶部６には、ユーザーが登録した登録キーワードが予め記憶される。キーワードの登録数は特に限定されず、１つでもよいし複数でもよい。一例として、「ｃｏｎｆｉｄｅｎｔｉａｌ」など機密文書に記載され得る文言がキーワードとして登録される。
【００９９】
制御部１は、画像読取部２が原稿Ｄを読み取ると、画像読取部２が読み取った原稿Ｄの画像データに対して文字認識処理を行うことによって当該画像データからテキストデータを抽出し、抽出したテキストデータに登録キーワードが存在するか否かを判断する。言い換えると、制御部１は、原稿Ｄの画像データに登録キーワードが存在するか否か（原稿Ｄに登録キーワードが記載されているか否か）を判断する。
【０１００】
その結果、原稿Ｄの画像データに登録キーワードが存在すると判断した場合、制御部１は、原稿Ｄの画像データの重要度が高レベルであると判定する。一方で、原稿Ｄの画像データに登録キーワードが存在しないと判断した場合、制御部１は、原稿Ｄの画像データの重要度が低レベルであると判定する。
【０１０１】
（第２判定処理）
複合機１００はログイン機能を搭載する。複合機１００を使用するには、複合機１００にログインする必要がある。
【０１０２】
また、記憶部６には、複合機１００の使用を許可されたユーザー（複合機１００にログインできるユーザー）に対応するユーザー種別を示すユーザー種別情報が記憶される。たとえば、ユーザーが第１ユーザーであるか第２ユーザーであるかを示す情報がユーザー種別情報とされる。
【０１０３】
制御部１は、メールジョブの実行（画像読取部２による原稿Ｄの読み取り）に際し複合機１００にログインしたログインユーザーを認識するとともに、ユーザー種別情報に基づきログインユーザーの種別を認識する。すなわち、制御部１は、ログインユーザーが第１ユーザーであるか第２ユーザーであるかを認識する。
【０１０４】
そして、ログインユーザーが第１ユーザーである場合、制御部１は、ログインユーザーのログイン時に画像読取部２が読み取った原稿Ｄの画像データ（電子メールに添付する画像データ）の重要度が高レベルであると判定する。一方で、ログインユーザーが第２ユーザーである場合、制御部１は、ログインユーザーのログイン時に画像読取部２が読み取った原稿Ｄの画像データ（電子メールに添付する画像データ）の重要度が低レベルであると判定する。
【０１０５】
（第３判定処理）
制御部１は、画像読取部２が読み取った原稿Ｄの画像データ（電子メールに添付する画像データ）の容量を対象容量として認識する。そして、制御部１は、予め定められた閾値容量と対象容量とを比較する。なお、閾値容量は記憶部６に記憶される。閾値容量は変更可能であり、当該変更の受け付けは操作パネル４が行う。
【０１０６】
対象容量と閾値容量とを比較した結果、対象容量が閾値容量以上であった場合、制御部１は、電子メールに添付する画像データの重要度が高レベルであると判定する。一方で、対象容量が閾値容量未満であった場合、制御部１は、電子メールに添付する画像データの重要度が低レベルであると判定する。
【０１０７】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１０８】
１  制御部
２  画像読取部
４  操作パネル
５  通信部
６  記憶部
１００  複合機（画像形成装置）
２００  外部機器
【図１】
2019062278.tif 000003
【図２】
2019062278.tif 000004
【図３】
2019062278.tif 000005
【図４】
2019062278.tif 000006
【図５】
2019062278.tif 000007
【図６】
2019062278.tif 000008
【図７】
2019062278.tif 000009